(57)【特許請求の範囲】
【請求項１】
整列状態にして順次移送する複数の区分けポケットを有し、前記区分けポケットを移動させながら用紙などの丁合物を受け入れる搬送ラインと、
前記搬送ラインを移動する区分けポケットに、単位用紙を宛先毎に必要な用紙を供給する単位用紙供給部と、
前記搬送ラインを移動する区分けポケットに、連続状態であらかじめ宛先順に印字された連続用紙を宛先単位に切断してなる切断用紙を供給する切断用紙供給部と、
前記搬送ラインを移動する区分けポケット毎に該区分けポケットの単位用紙と切断用紙とからなる丁合物を丁合又は、袋綴じする集合処理部とが配置されるとともに、
宛先単位に単位用紙と切断用紙を供給する為のデータベースと、
前記データベースに基づいて、宛先順に移動する前記区分けポケットへ単位用紙と切断用紙の供給タイミングをコントロールして丁合又は袋綴じするように搬送ラインと単位用紙供給部と切断用紙供給部と集合処理部とを制御する制御部とからなる封書作成装置であって、
前記宛先順に印字された連続用紙に宛先単位毎に区分け識別するための識別コードを付与する識別コード付与装置を、前記切断用紙供給部に設けたことを特徴とする封書作成装置。
【請求項２】
前記識別コード付与装置は、前記連続用紙が宛先単位に切断される際、切り落とされる前記連続用紙の移送穴部にあらかじめ付与された識別コードを読み取る識別コード読み取り装置と、この識別コード読み取り装置で読み取ったコードデータに基づいて宛先単位に切断される用紙に新たに識別コードを出力する識別コード印字装置とからなることを特徴とする請求項１記載の封書作成装置。
【請求項３】
前記識別コード印字装置は、ステルスインキで印字することを特徴とする請求項１又は請求項２記載の封書作成装置。
【請求項４】
前記切断用紙供給部の用紙供給位置に対応する搬送ラインの区分けポケット位置に前記切断される用紙に付された識別コードを読み取る識別コード読み取り装置を設けたことを特徴とする請求項１乃至請求項３の何れか一項記載の封書作成装置。
【発明の詳細な説明】
【０００１】
【発明の属する技術分野】
本発明は移動する区分けポケットに単位用紙と切断用紙とからなる丁合物を丁合や袋綴じして封書とする封書作成装置に関するものである。
【０００２】
【発明が解決しようとする課題】
従来からデパート業や通信販売業、そして各種金融機関などにおいて顧客に定期的に、或いは不定期にして新規商品、新規サービスなどの紹介を行なう上でパンフレット、カタログなどをその顧客向けに送付するようにしており、送付先が多いなどの場合には連続的な作成処理が行なえるようにするために、搬送ラインを移動できる区分けポケットに対してカタログやパンフレットなどのように枚葉物や冊子などの単位用紙を供給するとともに、送付先を記載した送付票や案内状、請求書など宛先に応じて予め作成されている切断用紙を供給し、これらを区分けポケットごとにまとめて封書（袋形態のものも含まれている）として作成できるシステムが採用され、効率の向上が図られるようになってきている。
しかしながら、上述したような移動する区分けポケットにパンフレットやカタログなどの単位用紙と送り状などの切断用紙をまとめて封書として作成する上記装置において、前記切断用紙に宛先を印字するスピードと区分けポケットへの供給スピードの関係から上述のごとく予め宛先が記載されているその切断用紙を単に順次供給するものとなっているため、切断用紙の供給順序などのような宛先にかかる管理情報と、実際に装置上を順次移動して作成されていく封書の流れとの対応が取り難いという不都合がある。即ち、作成されてきた封書が何れの宛名情報に応じて作成された封書であるかの判断が装置側では行い難く、そのため、単位用紙の供給トラブルなどで封書作成に不良が発生した場合の封書に対する良否の区分けや、検査のために一部の冊子などを抜き取った状態で作成された封書と他の適正な封書との区分けなどを装置側で自動的に行なわせるようにすることが困難であった。
そこで、本発明は上記事情に鑑み、予め宛先が設けられている用紙をそれぞれ供給する形で封書を作成する装置において、宛先にかかる管理情報と作成される封書の流れとの対応を図るようにすることを課題とし、順次作成されてくる封書の管理を行ない易くすることを目的とするものである。
【０００３】
【課題を解決するための手段】
本発明は上記課題を考慮してなされたもので、整列状態にして順次移送する複数の区分けポケットを有し、前記区分けポケットを移動させながら用紙などの丁合物を受け入れる搬送ラインと、前記搬送ラインを移動する区分けポケットに、単位用紙を宛先毎に必要な用紙を供給する単位用紙供給部と、前記搬送ラインを移動する区分けポケットに、連続状態であらかじめ宛先順に印字された連続用紙を宛先単位に切断してなる切断用紙を供給する切断用紙供給部と、前記搬送ラインを移動する区分けポケット毎に該区分けポケットの単位用紙と切断用紙とからなる丁合物を丁合又は、袋綴じする集合処理部とが配置されるとともに、宛先単位に単位用紙と切断用紙を供給する為のデータベースと、前記データベースに基づいて、宛先順に移動する前記区分けポケットへ単位用紙と切断用紙の供給タイミングをコントロールして丁合又は袋綴じするように搬送ラインと単位用紙供給部と切断用紙供給部と集合処理部とを制御する制御部とからなる封書作成装置であって、前記宛先順に印字された連続用紙に宛先単位毎に区分け識別するための識別コードを付与する識別コード付与装置を、前記切断用紙供給部に設けたことを特徴とする封書作成装置を提供して、上記課題を解消するものである。
そして、本発明において、前記識別コード付与装置は、前記連続用紙が宛先単位に切断される際、切り落とされる前記連続用紙の移送穴部にあらかじめ付与された識別コードを読み取る識別コード読み取り装置と、この識別コード読み取り装置で読み取ったコードデータに基づいて宛先単位に切断される用紙に新たに識別コードを出力する識別コード印字装置とからなるものとすることが可能である。また、前記識別コード印字装置は、ステルスインキで印字することが可能なものであり、前記切断用紙供給部の用紙供給位置に対応する搬送ラインの区分けポケット位置に前記切断される用紙に付された識別コードを読み取る識別コード読み取り装置を設けたものとすることが可能である。
【０００４】
【発明の実施の形態】
つぎに本発明を図１から図５に示す実施の形態に基づいて詳細に説明する。
図１と図２は本発明に係る封書作成装置１の構成と形態とを概略的に示すものである。この封書作成装置１は搬送ライン２と単位用紙供給部３と切断用紙供給部４と集合処理部５とイジェクトユニット６とデータベース７と制御部８とからなるものであり、図２に示すように、前記搬送ライン２は対となった搬送爪を搬送面上に突出させた状態にして一方向に移動させることで整列状態にして順次移動する複数の区分けポケット９を有しており、この区分けポケット９が一方向に複数の位置で一時停止しながら移動することで用紙などの丁合物とするための物品を受けるものである。即ち、区分けポケット９が搬送方向の上流側から移動してくることで順次、或いは選択的に供給される用紙などが積み重ねられて下流方向に移動するようにしているものである。
単位用紙供給部３はカタログ、パンフレットなどの枚葉用紙、冊子などの単位用紙ａを区分けポケット９に供給するための単位用紙供給装置３ａが搬送ラインの方向に複数並んで設けられているものであり、例えばその単位用紙の種類毎に供給装置３ａが分けれてそれぞれが搬送ライン２に沿って配置されている。この単位用紙供給部３では前記供給装置に対応する位置に区分けポケットが位置することで各供給装置から後述するように宛先ごとに応じて必要な単位用紙が選択的にその区分けポケットへと供給されるものである。
【０００５】
単位用紙供給部３の区分けポケット移動方向下流側に上記切断用紙供給部４が位置している。この切断用紙供給部４は連続状態にして予め宛先順にその宛先に係る宛先名などの情報が印字された連続用紙ｂを、例えばロール形態で備えている切断用紙供給装置４ａを複数にして上記搬送ライン２に沿って配置してなるものであり、その切断用紙供給装置４ａそれぞれは繰り出してきた連続用紙ｂを宛先分ごとに切断した切断用紙ｃを、該供給装置の対応個所に到着した区分けポケット９に供給する。
上記集合処理部５は切断用紙供給部４の区分けポケット移動方向下流側にあって、区分けポケット９ごとに搬送されてきた単位用紙ａと切断用紙ｃとからなる丁合物を丁合、または透明な袋体を用いて袋綴じするものであり、その丁合物が取りまとめられた状態にして区分けポケットにて下流側へと送り出されるようにしている。
【０００６】
集合処理部５の区分けポケット移動方向下流側にイジェクトユニット６が位置していて、このイジェクトユニット６では、用紙供給が不可とされた区分けポケット９が到着したときにその区分けポケット９から丁合物を搬送ライン２上から除外するために回収するものである。
上記データベース７は宛先単位で供給すべき単位用紙の組み合わせと切断用紙との対応関係を記録しているもので、図３にて表形態で示すように、コードにして表現された宛先情報に対して、複数種の切断用紙ｃ１、ｃ２、ｃ３や単位用紙ａ１、ａ２、……のいずれを供給すべきかの対応が記録されているものである。
また、制御部８は上記各部を管理し、前記データベース７に基づいて、宛先順に移動する前記区分けポケット９へ単位用紙と切断用紙の供給タイミングをコントロールできるようにするとともに、丁合又は袋綴じするようにすべく、搬送ライン２と単位用紙供給部３と切断用紙供給部４と集合処理部５、イジェクトユニット６とを制御するものである。そして、この制御部８にあっては、図１に示されているように各部所の稼動状況を示すモニターなどからなる表示部１０とキーボードなどの入力装置からなり各種の設定を入力できる入力部１１とが接続されており、これら制御部８、表示部１０、入力部１１、上記データベース７とはコンピュータにて一体的に構成することができるものとしている。
【０００７】
上記各切断用紙供給装置４ａにおいては、図４に示されているように識別コード付与装置１２が設けられている。この識別コード付与装置１２は予め宛先順に印字された連続用紙ｂに対して宛先単位毎に区分け識別するための識別コードを付与するもので、図５に示されているように、連続用紙ｂの移送穴部に予め付与された識別コードｄを利用して切断用紙となる部分ごとの所定位置に新たな識別コードｅを出力するようにしたものである。そのため、識別コード付与装置１２では、連続用紙ｂが宛先単位に切断される際、切り落とされる移送穴部の識別コードｄを読み取る識別コード読み取り装置１３と、この識別コード読み取り装置１３で読みとったコードデータに基づいて宛先単位に切断される用紙に新たに前記識別コードｅを出力する識別コード印字装置１４とに構成が分けられている。そして、前記識別コード印字装置１４にあっては識別コードｅをステルスインキにて印字するもので、目視ではその識別コードｅを確認できないようにして切断用紙の外観を損なわないものとしている。なお、識別コードｅはステルスインキが感知できる機器にて読み取ることができるものである。
図４に示されているように切断用紙供給装置４ａでは上記識別コード付与装置１２からの用紙送り出し方向にカッター部１５と折り部１６とを配置しており、上述したように識別コード付与装置１２で切断用紙となる部分に識別コードｅを付与してから、前記カッター部１５にて切断用紙ｃごとに切断して上記移送穴部も切除して切断用紙ｃを得て、その後に折り部１６で略Ｚ状に折り畳んで用紙排出位置に送り出され、この用紙排出位置に区分けポケットが位置したときに供給するようにしている。
さらに切断用紙供給部４では、ステルスインキを用いて切断用紙ｃに付与された識別コードｅを読み取るために用紙供給位置に第二の識別コード読み取り装置１７を配置しており、この第二の識別コード読み取り装置１７で切断用紙ｃの識別コードｅを読み取って上記制御部８に情報を送ることにより、その情報を送出した切断用紙供給装置４ａから切断用紙ｃが区分けポケットに供給されたとの判断がなされ、制御部８側では集合処理部５に向けて移動する区分けポケット９と、宛先情報など宛先に係る管理情報とを対応付けして管理を行なうようにしている。
【０００８】
このように、切断用紙供給部４に識別コード付与装置１２を設け、宛先単位ごととされた切断用紙ｃを区分け識別できるようにしたため、切断用紙ｃが区分けポケット９に供給されるとともにその切断用紙ｃから情報を得ることで、区分けポケット９ごとの丁合物や集合処理部５を経た封書を宛先順による管理情報に対応する対応関係を装置側で管理しながら搬送ライン２上を移動させることができるようになる。そして、人間の眼では確認できないステルスインキで切断用紙に識別コードを付与するようにすることで、最終のユーザー（封書受取人）に気づかれずにその切断用紙を生産管理用の帳票などとして利用でき、デザインの制約を受けることが無くなる。
【０００９】
本封書作成装置１においては、単位用紙ａや切断用紙ｃの移動経路でジャミングが生じたときにこれを感知できるように設けられているものであって、単位用紙ａの送り出し時のジャミングに応じ得るように上記単位用紙供給部３の各単位用紙供給装置３ａに、また、切断用紙ｃの送り出し時のジャミングに応じ得るように上記切断用紙供給部４の各切断用紙供給装置４ａに、そして、搬送ライン２上での移動時におけるジャミングに応じることができるようにその搬送ライン２の各所に、さらには、集合処理部５での丁合や袋綴じの際のジャミングに応じるようにその集合処理部５にそれぞれジャムセンサー１８が設けられており、これらジャムセンサー１８からのジャム信号が上記制御部８に送られるようにして、何れかの個所でジャミングが生じた場合に制御部８の制御の下で封書作成装置１が停止するようにしている。また、この封書作成装置１を通常停止させる場合にあってもその停止指示信号が前記制御部８に送り出され、その停止指示信号を受けて制御部８の制御の下で封書作成装置１が停止するようにしている。
上記ジャム信号や停止指示信号を受けた上記制御部８は搬送ライン２上にある区分けポケット９の停止位置を単位用紙供給装置３ａや切断用紙供給装置４ａの用紙供給位置となるように制御しており、この制御部８の下で区分けポケット９が用紙供給位置で停止することで各停止位置（用紙供給位置）での単位用紙ａや切断用紙ｃの供給の有無や宛名情報に応じて適正な用紙の組み合わせが行われているかどうかなどを把握し易くして管理が容易となるようにしているものとなっている。
【００１０】
そして、本封書作成装置１を用いたシステムにおいて、上記ジャムセンサー１８によってジャミングが検出された装置の用紙供給位置を移動してきた区分けポケットの丁合物は、実際の用紙の組み合わせが正常であったとしてもその組み合わせなどに不具合が生じているものとして処理するようにしており、各処理個所（単位用紙供給装置３ａ、切断用紙供給装置４ａ、集合処理部５、イジェクトユニット６）においてこのような不可の状態と適正な処理動作が行われた可の状態とを表示できるように、また、移動する各区分けポケット９が可の状態のものであるか不可の状態のものであるかが表示できるようにしているものである。その具体的な例として、上記搬送ライン２において区分けポケット９が停止する位置に対応した所定個所と各装置に表示装置１９が設けられている。この表示装置１９は可の状態を青色点灯として表示し、不可の状態を赤色点灯として表示するように青色灯と赤色灯とが対になっているが、必ずしも対になっている必要はなく、不可の状態のみを点灯表示するものであってもよい。さらに、上記制御部８では、単位用紙供給装置３ａ、切断用紙供給装置４ａ、集合処理部５、イジェクトユニット６の各ジャムセンサー１８から入力されたジャム信号に基づいて前記表示装置１９を動作させるようにしており、ジャム信号の送出がなくなるまでジャミングしている装置の表示装置１９で不可の状態を表示させ、かつ、単位用紙供給部３や切断用紙供給部４において不可とされた装置の用紙供給位置を通ってきた区分けポケット９が表示装置１９を対応付けした搬送ライン２上の位置に到着するごとに不可の状態を表示するようにしており、搬送ライン２上の区分けポケット９の移動に伴って可、不可の表示を移動制御するようにし、区分けポケット９の移動を、即ち、封書作成装置１自体を停止させずに不可の区分けポケットを確認できるようにしている。
このように区分けポケット９の移動に伴って可、不可の表示を移動制御することから、操作者側で目視にて区分けポケットの丁合物の可、不可の状態が簡単に判断できるようになる。
【００１１】
上述したように単位用紙供給部３や切断用紙供給部４、集合処理部５、イジェクトユニット６などの部所にて不可とされた場合においてもこの封書作成装置１は停止されず、連続稼動の状態が極力維持されるようにしている。しかし、上流である単位用紙供給部３の段階でジャミングなどにより不可とされた区分けポケット９がその下流の切断用紙供給部４に到達したときに、その区分けポケット９に切断用紙を供給することは不経済なものとなる。
そこで、この封書作成装置１では単位用紙供給部３で不可の状態が生じたと判定された場合には、その不可の状態となる区分けポケット９が切断用紙供給部４に到達するときに対応する宛先情報が制御部８側に記録されるとともに、その制御部８の制御により切断用紙供給部４における切断用紙ｃの供給を停止し、この切断用紙ｃの供給を受けなかった区分けポケット９が集合処理部５を通って（この集合処理部５においても丁合や袋綴じの動作は行われないようにしている）イジェクトユニット６に到達した段階でその区分けポケット９における丁合物が搬送ライン２上から排除されるようにしている。なお、可の状態とされた区分けポケット９における丁合物は前記イジェクトユニット６での取り除きを受けることなく搬送ライン２の最終端に接続されているデリバリコンベア２０に送り込まれ、このデリバリコンベア２０にて次工程に送り出されるようにしている。さらに、前記制御部８は単位用紙供給部３での不可の状態が解消されると、先に不可とされた順番の宛先情報に対応する単位用紙の組み合わせをデータベース７から再度引き出し、この宛先情報に応じる単位用紙の供給をこの単位用紙供給部３で開始させるとともに、その可の状態とされた区分けポケット９が下流の切断用紙供給部４に移動してきた時点で切断用紙ｃの供給を再開するように設けられている。このようにすることで封書作成装置の連続的な稼動が維持し易くなるように設けられている。
【００１２】
また、一方、切断用紙供給部４での不可の状態が発生しても連続的な稼動を維持するように設けられている。上述したようにこの切断用紙供給部４における各切断用紙供給装置４ａそれぞれでは連続用紙ｂを切断してなる切断用紙ｃから第二の識別コード読取装置１７によって識別コードを読み取るようにしており、読み取られた識別コードとデータベース上での宛先情報との対比を上記制御部８が常時行い、一致している場合に可の状態とし、連続用紙の作成時点での出力ミスなどで不一致となった場合に不可の状態と判定するようにしている。さらに、これら切断用紙供給装置４ａそれぞれに対応してその装置内、及び、用紙供給位置に、上述のようにジャミングを検出するジャムセンサー１８が配置されており、このジャムセンサー１８にてジャム信号が送出された場合にも前記制御部８は不可の状態と判定するようにしている。そして、不可の状態とされた区分けポケット９の丁合物は上述のように集合処理部５での処理を受けずにイジェクトユニット６にて搬送ライン２から取り除かれるようにしている。
さらに、取り除かれる丁合物中の切断用紙についてはこれを再度作成する必要があることから、その不可とされた区分けポケット９に対応する宛先情報が制御部８により切断用紙供給部の用紙排出不良データとしてファイル出力するように設けられており、この出力されたファイルにて改めて連続用紙ｂを作成するようにしている。
このように第二の識別コード読取装置を用いたデータベースとの対比から、そして、装置内や用紙供給位置でのジャム信号に基づいて制御部８が切断用紙供給部４での可、不可の状態を判定し、その切断用紙供給部４において不可の状態とされた区分けポケットに対応する宛先情報を別個にファイル出力するため、不可の状態となる区分けポケット９が生じたとしても、不具合の解消作業中に封書作成装置１を稼動させ続けることができ、不具合解消後の正常稼動状態に連続的に移行できるようにしている。
【００１３】
上記搬送ライン２にあっては上述したように所要個所に、上記用紙供給位置に対応するようにしてジャムセンサー１８が配置されていて、搬送ライン２の停止時においても区分けポケット９に送り出されている単位用紙や切断用紙の有無を検知するようにしており、搬送ライン２の停止時に検査のために単位用紙や切断用紙の丁合物を取り出すことでその区分けポケット９に対して不可の状態との判定を対応付けるようにし、封書作成装置１の稼動を再開したときには、上述の不可の判定とされた区分けポケットに対する対処と同様に上記イジェクトユニット６にて丁合物を搬送ライン２から取り除くようにしている。
このように操作者が検査などのために丁合物を取り除いた時点で不可の状態との判定を対応付けるようにしているため、操作者による戻し間違いを未然に防止することができる。
【００１４】
上記実施の例では、搬送ライン２の下流側に一つのイジェクトユニット６により、不可の判定がなされている区分けポケット９の丁合物をその搬送ライン２から取り除いて回収するものとしているが、本発明はこれに限定されるものではない。図６はその他の実施の形態の要部を示しているものであって、図６に示された封書作成装置１では、この装置１の機械調整用としてや上記判定の機能チェック用として封書を作成し、この機械調整用や判定機能チェック用として作成された切断用紙を伴う丁合物と上述の不可の状態と判定付けられた丁合物との両者を区別した状態で搬送ライン２から取り除き回収できるようにするために、イジェクトユニット６を複数設けており、機械調整用や判定機能チェック用として作成された用紙から所要の情報を上記識別コード読取装置１３や第二の識別コード読取装置１７を介して制御部８側に送り込み、その制御部８の制御の下でその切断用紙を伴う丁合物を所定のイジェクトユニット６にて搬送ライン２から回収するようにしている。
このように機械調整用や判定機能チェック用として作成された丁合物を通常稼動時に不可の状態と判定付けされた丁合物と区別して搬送ライン２から取り除くようにしているため、その取り除かれた丁合物の管理が容易になる。
【００１５】
機械調整用や判定機能チェック用とされる上記切断用紙には、連続用紙の形態の時点で予め機械調整用としてダミーの宛先情報を記載した切断用紙であることを示す識別コード、または、上記識別コード読取装置１３、第二の識別コード読取装置１７による可の状態や不可の状態の判定機能をチェックするためのダミーの宛先情報を記載した切断用紙であることを示す識別コードが設けられていて、この用途の切断用紙となる用紙部分２１が、図７に示すように連続用紙ｂの前後の個所や間に配置されている。この図７では（イ）にその連続用紙ｂの先頭部分が、（ロ）ではデータ領域部分が、（ハ）では連続用紙ｂの終了部分が示され、矢印Ｘは連続用紙ｂの送り出し方向を示し、（イ）（ロ）（ハ）において連続用紙ｂ中の各枠が最小単位の用紙を示している。
図７（イ）で示すように、連続用紙ｂの先頭部分では白紙領域Ａのつぎに、機械調整用としてのダミーの宛先情報を記載して切断用紙となる前記用紙部分２１が連続して先頭ダミーデータ領域Ｂが形成され、以降に正規データが続くことを制御部側に知らせるためのヘッダー領域Ｃが前記先頭ダミーデータ領域Ｂに連続し、さらにこのヘッダー領域Ｃに正規データ領域Ｄが連続している。
図７（ロ）に示すように、連続用紙ｂのデータ領域部分では、前記正規データ領域Ｄを分断する形で複数箇所にダミーデータ領域Ｅがあり、このダミーデータ領域Ｅは、識別コード読取装置１３、第二の識別コード読取装置１７による可の状態や不可の状態の判定機能をチェックするためのダミーの宛先情報を記載した切断用紙となる前記用紙部分２１から形成されている。
図７（ハ）に示すように、連続用紙ｂの終了部分では、正規データが終了したことを制御部側に知らせるフッター領域Ｆがあり、これに、機械調整用としてのダミーの宛先情報を記載して切断用紙となる前記用紙部分２１よりなる終了ダミーデータ領域Ｇが形成されて連続し、その後に白紙領域Ｈが連続している。
このように正規の宛先情報を有する連続用紙ｂ中に機械調整用や判定機能チェック用のダミーとしての用紙部分２１を設けているため、上記切断用紙供給部４の各切断用紙供給装置４ａそれぞれにおいて、本稼動のための連続用紙と調整やダミー用の連続用紙とを付け換える必要がなくなる。
【００１６】
【発明の効果】
以上説明したように、本発明によれば、整列状態にして順次移送する複数の区分けポケットを有し、前記区分けポケットを移動させながら用紙などの丁合物を受け入れる搬送ラインと、前記搬送ラインを移動する区分けポケットに、単位用紙を宛先毎に必要な用紙を供給する単位用紙供給部と、前記搬送ラインを移動する区分けポケットに、連続状態であらかじめ宛先順に印字された連続用紙を宛先単位に切断してなる切断用紙を供給する切断用紙供給部と、前記搬送ラインを移動する区分けポケット毎に該区分けポケットの単位用紙と切断用紙とからなる丁合物を丁合又は、袋綴じする集合処理部とが配置されるとともに、宛先単位に単位用紙と切断用紙を供給する為のデータベースと、前記データベースに基づいて、宛先順に移動する前記区分けポケットへ単位用紙と切断用紙の供給タイミングをコントロールして丁合又は袋綴じするように搬送ラインと単位用紙供給部と切断用紙供給部と集合処理部とを制御する制御部とからなる封書作成装置であって、前記宛先順に印字された連続用紙に宛先単位毎に区分け識別するための識別コードを付与する識別コード付与装置を、前記切断用紙供給部に設けたことを特徴とするものである。
このように、切断用紙供給部に設けた識別コード付与装置で、宛先単位ごととされた切断用紙を区分け識別できるようにしたため、区分けポケットに供給されたその切断用紙から情報を得ることで、区分けポケットごとの丁合物や集合処理部を経た封書を宛先順による管理情報に対応する対応関係を装置側で管理しながら搬送ライン上を移動させることができるようになるなど、実用性に優れた効果を奏するものである。
【図面の簡単な説明】
【図１】本発明の封書作成装置の一例における構成を概略的に示す説明図である。
【図２】一例の形態を概略的に示す説明図である。
【図３】データベースを示す説明図である。
【図４】切断用紙供給装置を示す説明図である。
【図５】連続用紙における切断用紙となる一単位を示す説明図である。
【図６】他の実施の例を示す説明図である。
【図７】連続用紙を示す説明図である。
【符号の説明】
１…封書作成装置  ２…搬送ライン
３…単位用紙供給部  ４…切断用紙供給部
５…集合処理部  ６…イジェクトユニット
７…データベース  ８…制御部
９…区分けポケット  １２…識別コード付与装置
１３…識別コード読み取り装置  １４…識別コード印字装置
１７…第二の識別コード読取装置  １８…ジャムセンサー
１９…表示装置  ２１…チェック用の用紙部分
ａ…単位用紙  ｂ…連続用紙
ｃ…切断用紙  ｄ…識別コード
ｅ…識別コード
【図１】
0003666284.tif 000002
【図２】
0003666284.tif 000003
【図３】
0003666284.tif 000004
【図４】
0003666284.tif 000005
【図５】
0003666284.tif 000006
【図６】
0003666284.tif 000007
【図７】
0003666284.tif 000008